(57)【要約】【課題】  通常は、携帯小型バッグ部に折畳みバッグ部を収納する携帯バッグに関するものであり、折畳みバッグ部をその携帯小型バッグ部から取り出してトートバッグ等のように、肩掛けバッグとして使用したときに、携帯小型バッグ部が有効に使用できる携帯バッグを提供すること。【解決手段】  拡げることにより通常サイズの大きさとなる折畳みバッグ部Ｂと、該折畳みバッグ部Ｂを折り畳んだ状態で収納することができる携帯小型バッグ部Ａとからなること。該携帯小型バッグ部Ａには吊下げ帯部２が具備され、該吊下げ帯部２は前記折畳みバッグ部Ｂの手提げ部６に装着自在とし、且つその携帯小型バッグ部Ａの内部には前記折畳みバッグ部Ｂの収納領域とともに携帯電話Ｔの収納領域が具備されること。【選択図】      図１
0003102274.tif 000002
【実用新案登録請求の範囲】
【請求項１】
拡げることにより通常サイズの大きさとなる折畳みバッグ部と、該折畳みバッグ部を折り畳んだ状態で収納することができる携帯小型バッグ部とからなり、該携帯小型バッグ部には吊下げ帯部が具備され、該吊下げ帯部は前記折畳みバッグ部の手提げ部に装着自在としてなることを特徴とする携帯バッグセット。
【請求項２】
拡げることにより通常サイズの大きさとなる折畳みバッグ部と、該折畳みバッグ部を折り畳んだ状態で収納することができる携帯小型バッグ部とからなり、該携帯小型バッグ部には吊下げ帯部が具備され、該吊下げ帯部は前記折畳みバッグ部の手提げ部に装着自在とし、且つその携帯小型バッグ部の内部には前記折畳みバッグ部の収納領域とともに携帯電話の収納領域が具備されてなることを特徴とする携帯バッグセット。
【請求項３】
拡げることにより通常サイズの大きさとなる折畳みバッグ部と、該折畳みバッグ部を折り畳んだ状態で収納することができる携帯小型バッグ部とからなり、該携帯小型バッグ部には吊下げ帯部が具備され、該吊下げ帯部は前記折畳みバッグ部の手提げ部に装着自在とし、且つその携帯小型バッグ部の内部には前記折畳みバッグ部を折畳み状態で収納する収納領域と携帯電話の収納領域とを具備し、且つ前記携帯小型バッグ部には折畳みバッグ部の収納領域と携帯電話の収納領域との間に仕切り部が形成されてなることを特徴とする携帯バッグセット。
【考案の詳細な説明】
【技術分野】
【０００１】
本考案は、通常は、収納袋に折畳みバッグ部を収納する携帯バッグセットに関するものであり、折畳みバッグ部をその携帯小型バッグ部から取り出してトートバッグ等のように、肩掛けバッグとして使用したときに、携帯小型バッグ部が有効に使用できるものとした携帯バッグセットに関する。
【背景技術】
【０００２】
従来より、携帯バッグセットが使用されているが、その多くのものでは折畳みバッグと、この折畳みバッグを収納するための小型の収納ケースとから構成されたものがほとんどである。このようなものとして、たとえば特許文献１に開示されているように、折畳みバッグ部は、適当に折り畳み、この折り畳んだ状態で小型の収納ケースに収納する。
【特許文献１】実用新案登録第３０９５３３３号
【考案の開示】
【考案が解決しようとする課題】
【０００３】
上記の携帯バッグセットでは、その折畳みバッグ部を使用しているときには、収納ケースは、全くの不要な物となり、有効な利用がなされていないばかりか、かえって使用者にとって、無駄となり、収納スペースを有効に利用することができなかったり、また荷物の負担になることもあり得る。このようなことから本考案が解決しようとする課題（技術的課題又は目的）は、携帯バッグセットにおいて、折畳み状態から拡げてバッグを使用する際に、この折畳みバッグ部を収納するケースを有効に利用することができるようにしたものである。
【課題を解決するための手段】
【０００４】
そこで、考案者は、上記課題を解決すべく、鋭意，研究を行った結果、本考案を、拡げることにより通常サイズの大きさとなる折畳みバッグ部と、該折畳みバッグ部を折り畳んだ状態で収納することができる携帯小型バッグ部とからなり、該携帯小型バッグ部には吊下げ帯が具備され、該吊下げ帯は前記折畳みバッグ部の手提げ部に装着自在としてなる携帯バッグセットとしたことにより上記課題を解決したものである。
【０００５】
さらに、前述の構成において、その携帯小型バッグ部の内部には前記折畳みバッグ部の収納領域とともに携帯電話の収納領域が具備されてなる携帯バッグセットとしたことにより上記課題を解決したものである。また、前述の構成において、前記携帯小型バッグ部には折畳みバッグ部の収納領域と携帯電話の収納領域との間に仕切り部が形成されてなる携帯バッグセットとしたことにより、同様に上記課題を解決することができる。
【考案の効果】
【０００６】
請求項１の考案によれば、携帯バッグセットの折畳みバッグ部を拡げて通常のトートバッグ等の肩掛けバッグとして使用する際に、この折畳みバッグ部を収納するための携帯小型バッグ部を肩掛けバッグとした前記折畳みバッグ部の手提げ部に装着することができ、その携帯小型バッグ部を補助バッグ又は副バッグとして使用することができ、携帯小型バッグ部を有効に使用することができる。請求項２の考案によれば、前記携帯小型バッグ部を携帯電話の収納ケースとして、使用時における肩掛けバッグとした折畳みバッグ部の手提げに装着して使用することができる。請求項３の考案によれば、携帯小型バッグ部には折り畳まれた折畳みバッグ部と、携帯電話とを仕切りによって分別収納することができ、折畳みバッグ部や携帯電話の出し入れを行いやすくすることができる。
【考案を実施するための最良の形態】
【０００７】
以下、本考案の実施形態を図面に基づいて説明する。本考案は、携帯小型バッグ部Ａと折畳みバッグ部Ｂとから構成される。その携帯小型バッグ部Ａは、図１（Ａ），（Ｂ）に示すように、前記袋体部１と、吊下げ帯部２と、接合部３とから構成され、前記袋体部１に吊下げ帯部２と接合部３とが設けらている。その袋体部１の出入れ口１ａとなる部分は常時開放状態としたものであり、縁縫いが施されて補強がなされている。また、出入れ口１ａには蓋を設けてもよい。この袋体部１は、小型で携帯電話Ｔを収納可能な程度のサイズである。そして、この携帯小型バッグ部Ａは、後述する折り畳まれてコンパクトな状態にした折畳みバッグ部Ｂが収納される。さらには、その折畳みバッグ部Ｂとともに、携帯電話Ｔの収納も行うことができるサイズとすることもある。
【０００８】
次に、吊下げ帯部２は、図１（Ａ），（Ｂ）に示すように、帯状をなし、その一端側が一方の袋体部１に装着されている。その吊下げ帯部２は、具体的には、吊下げ主帯２ａと吊下げ副帯２ｂとから構成されている。そして、前記吊下げ主帯２ａの自由端側箇所を自由端２ａ1 と、吊下げ副帯２ｂの自由端側箇所を自由端２ｂ1 とする。この吊下げ帯部２の吊下げ主帯２ａは、前記袋体部１の幅方向の一端側に装着され、前記吊下げ副帯２ｂは、前記袋体部１の幅方向の他端側に装着されている。その吊下げ主帯２ａと吊下げ副帯２ｂとの自由端同士２ａ1 ，２ｂ1 が接合部３を介して接合されるようになっている。
【０００９】
この接合部３には、複数のタイプが存在する。その第１タイプは、図１（Ｂ）に示すように、ホック３ａとしたものである。前記吊下げ帯部２の吊下げ主帯２ａの自由端２ａ1 には、ホック３ａの雄部３ａ1 が装着されている。また、前記吊下げ副帯２ｂの自由端２ｂ1 にはホック３ａの雌部３ａ2 が装着され、吊下げ主帯２ａと吊下げ副帯２ｂとをホック３ａを介して瞬時に接合することができる。
【００１０】
前記接合部３の第２タイプは、特に図示しないが布ファスナ（布テープ）であり、該布ファスナは、一方が鉤毛部であり、他方が環毛部であり、前記吊下げ主帯２ａの自由端２ａ1 に鉤毛部及び環毛部の何れか一方が設けられ、吊下げ副帯２ｂの自由端２ｂ1 にはその他方が設けられる。さらに、その接合部３の他のタイプとして、は、ボタンタイプとしたり、フックタイプとしたり、ベルトのバックルタイプ等とすることもある。また、前記吊下げ帯部２は、吊下げ主帯２ａのみからなり、該吊下げ主帯２ａの自由端２ａ1 と、袋体部１の開口付近同士を接合部３を介して着脱自在とすることもある。
【００１１】
次に、折畳みバッグ部Ｂは、図１（Ｂ），図２（Ｂ）に示すように、折り畳み自在で、この折り畳み状態から拡げることにより、図１（Ｃ）に示すように、トートバッグ等の肩掛けタイプのバッグにすることができる。その折畳みバッグ部Ｂは、バッグ本体部５と手提げ部６とから構成されている。該手提げ部６は、肩に掛けるのに適正なループ状をなしており、肩に掛けることや手に持つことが容易にできるものである。そのバッグ本体部５は、略長方形，正方形等の方形状に形成されている。
【００１２】
前記折畳みバッグ部Ｂの折り畳みパターンは、適宜に折り畳まれて構わないものであるが、その一例としてはバッグ本体部５を幅方向に沿って複数に重ね合わせてゆき、短冊状に形成し、次いでその短冊状に折り畳まれたバッグ本体部５を長手方向に沿って重ね合わせるようにして折り畳んでゆく。このようにして、バッグ本体部５をコンパクトな状態とし、手提げ部６をそのバッグ本体部５の周囲に巻き付けるようにする。このようにして、折り畳み状態でコンパクトにまとめた折畳みバッグ部Ｂが前記携帯小型バッグ部Ａの袋体部１内に収納される〔図２（Ａ），（Ｂ）参照〕。
【００１３】
本考案の第２タイプとしては、図８に示すように、前記携帯小型バッグ部Ａの袋体部１は、この折畳みバッグ部Ｂを折り畳んだ状態で十分に収納する容量を有するものである。さらに、前記袋体部１は、折り畳んだ状態の折畳みバッグ部Ｂとともに、携帯電話Ｔを収納できる予備収納スペースＳが備わっている。この予備収納スペースＳに、何も収納しないときには、折畳みバッグ部Ｂがその予備収納スペースＳを占有することも可能である。
【００１４】
本考案の第３タイプとしては、図６（Ａ）乃至（Ｃ）に示すように、前記携帯小型バッグ部Ａの袋体部１内において前記予備収納スペースＳを仕切るための仕切り部１ｂが設けられたものである。該仕切り部１ｂは、袋体部１と同等の生地にて形成されたものである。この仕切り部１ｂによって、袋体部１に折り畳んだ状態の折畳みバッグ部Ｂと、携帯電話Ｔとをそれぞれ別々に収納することができる。この仕切り部１ｂを設けたことで、折畳みバッグ部Ｂと携帯電話Ｔとを共に収納且つ出し入れを行い易いものにできる。
【００１５】
特に、仕切り部１ｂを設けることで、袋体部１に収納されている折畳みバッグ部Ｂと携帯電話Ｔのいずれか一方を取り出す際に、他方側も引きずられて袋体部１の外部に出てしまうという不都合な状態を容易に防止でき、折畳みバッグ部Ｂ又は携帯電話Ｔの何れか一方のみの出し入れを行うときには、相互に干渉することなくスムーズに行うことができるものである〔図７（Ａ），（Ｂ）参照〕。また、仕切り部１ｂによって仕切られた予備収納スペースＳに携帯電話Ｔの代わりに複数の小物を入れたときに、これらの複数の小物を取り出しやすい利点がある。
【００１６】
次に、携帯小型バッグ部Ａを携帯電話Ｔのケースとして使用する場合について説明する。まず、折畳みバッグ部Ｂを開いて肩掛けバッグとして使用する状態とする。その折畳みバッグ部Ｂの手提げ部６に携帯小型バッグ部Ａの吊下げ帯部２を装着する。吊下げ帯部２は、その吊下げ主帯２ａと吊下げ副帯２ｂとをその自由端２ａ1 ，２ｂ1 同士を接合部３を介して外し、その吊下げ主帯２ａと吊下げ副帯２ｂにて前記折畳みバッグ部Ｂの手提げ部６の周囲を囲むようにして、前記自由端２ａ1 ，２ｂ1 同士を接合部３を介して接合する。
【００１７】
その携帯小型バッグ部Ａの袋体部１は折畳みバッグ部Ｂのバッグ本体部５の内部又は外部に配置する。バッグ本体部５の外部に配置すれば、折畳みバッグ部Ｂのアクセサリー的な使用ができるし、携帯小型バッグ部Ａの袋体部１を折畳みバッグ部Ｂのバッグ本体部５の内部側に配置すれば袋体部１から携帯電話Ｔが落ちても、携帯電話Ｔを袋体部１内で受け止めることができ、携帯電話Ｔの紛失防止になる。
【図面の簡単な説明】
【００１８】
【図１】（Ａ）は本考案の斜視図、（Ｂ）は本考案の吊下げ帯部を接合部を介して切り離した状態の要部斜視図、（Ｃ）は本考案において拡げた折畳みバッグ部に携帯電話を収納した携帯小型バッグ部を装着した状態の正面図である。
【図２】（Ａ）は携帯小型バッグ部から折り畳んだ状態の折畳みバッグ部を引き出す状態の斜視図、（Ｂ）は携帯小型バッグ部から引き出された折畳みバッグ部を拡げる途中の斜視図である。
【図３】携帯小型バッグ部に携帯電話を収納する途中の状態の正面図である。
【図４】拡げた状態の折畳みバッグ部の手提げ部に携帯小型バッグ部を吊下げ帯部を介して装着する状態の正面図である。
【図５】（Ａ）は携帯小型バッグ部に携帯電話を収納した状態の斜視図、（Ｂ）は使用状態にした折畳みバッグ部を肩に掛けた斜視図、（Ｃ）は（Ｂ）の要部拡大斜視図である。
【図６】（Ａ）は携帯小型バッグ部に携帯電話の収納スペースを設けその収納スペースを仕切る仕切り部を設けたタイプの斜視図、（Ｂ）は（Ａ）の平面図、（Ｃ）は中を空の状態にした携帯小型バッグ部の平面図である。
【図７】（Ａ）は図６（Ａ）の縦断側面図、（Ｂ）は携帯小型バッグ部から携帯電話のみを引き出す状態の作用図である。
【図８】（Ａ）は携帯小型バッグ部に仕切り部を設けないタイプの斜視図、（Ｂ）は（Ａ）の平面図、（Ｃ）は中を空の状態にした携帯小型バッグ部の平面図である。
【符号の説明】
【００１９】
Ａ…携帯小型バッグ部
Ｂ…折畳みバッグ部
１…袋体部
１ａ…出入れ口
ｂ…仕切り部。
２…吊下げ帯部
５…バッグ本体部
６…手提げ部
【図１】
0003102274.tif 000003
【図２】
0003102274.tif 000004
【図３】
0003102274.tif 000005
【図４】
0003102274.tif 000006
【図５】
0003102274.tif 000007
【図６】
0003102274.tif 000008
【図７】
0003102274.tif 000009
【図８】
0003102274.tif 000010